(57)【要約】【課題】テール部にある高いフレットが、より低いフレットで演奏する際に、弦と接触してしまう可能性のない弦楽器を提供すること。【解決手段】本開示の実施例は、ネックサポート・指板ブレイスユニットを有する、ギター等の弦楽器に関する。ネックサポート・指板ブレイスユニットは、一体ユニットとして形成されるか、あるいは指板ブレイスをギタートップに取り付ける前にネックサポートを指板ブレイスに固定して取り付けることにより形成される。ネックサポートと指板ブレイスとを堅く接続することによって、ギターサイドに載置される指板ブレイスが、ギターネックに支持を与え、それにより、ギターネック及びフレットボードの変形を抑制する。【選択図】図３Ａ
2019003195.tif 000002
【特許請求の範囲】
【請求項１】
ギターサイド、
互いに対して固定して取り付けられたネックサポート及び指板ブレイスを備え、前記指板ブレイスがブレイス面及び２つの端部をもつ長尺のボディを有し、前記指板ブレイスが前記２つの端部において前記ギターサイドに取り付けられる、ネックサポート・指板ブレイスユニット、及び、
前記ギターサイドに取り付けられてサウンドボックスを形成するギタートップであって、組み立てられたときに、前記指板ブレイスの前記ブレイス面が、内側面に取り付けられるギタートップ
を備えるギターボディと、
前記ネックサポート・指板ブレイスユニットにおいて前記ギターボディに取り付けられたギターネックと
を備えるギター。
【請求項２】
前記ネックサポート及び前記指板ブレイスが、一体ボディとして形成された、請求項１に記載のギター。
【請求項３】
前記指板ブレイスの側面が、前記指板ブレイスの前面に取り付けられた、請求項１に記載のギター。
【請求項４】
前記指板ブレイスが、前記ネックサポートに接着された、請求項３に記載のギター。
【請求項５】
前記ネックサポートが、
上面、前面及び２つの側部を有する上部であって、前記指板ブレイスが前記前面から延在し、組み立てられたときに前記ギタートップが前記前面に取り付けられる、上部と、
ギターバックに取り付けるための底面を有する底部と
を備える、請求項１に記載のギター。
【請求項６】
前記上部の各側部が、前記ギターボディの縦軸線に対して斜めに形成された、請求項５に記載のギター。
【請求項７】
前記ギタートップが、ネックノッチを有し、組み立てられたときに、前記ギターネックが、前記ネックノッチにより露出する前記ネックサポートの前記上面の部分において、前記ネックサポートに取り付けられる、請求項５に記載のギター。
【請求項８】
前記ギターネックと前記ネックサポートの前記上面との間に配置されたトップスペーサを更に備える、請求項７に記載のギター。
【請求項９】
前記ネックサポートがヒール面を有し、前記ギターネックのヒールが前記ヒール面に取り付けられた、請求項１に記載のギター。
【請求項１０】
前記ギターネックの前記ヒールと前記ヒール面との間に配置されたヒールスペーサを更に備える、請求項９に記載のギター。
【請求項１１】
指板ブレイスに接続されたネックサポートを有するネックサポート・指板ブレイスユニットを形成することと、
その後ギタートップを前記ネックサポート・指板ブレイスユニットに取り付けることとを含む、ギターの製造方法。
【請求項１２】
前記ネックサポート・指板ブレイスユニットの前記ギタートップを取り付ける前に、前記指板ブレイスユニットをギターサイドに取り付けることを更に含む、に記載の方法。
【請求項１３】
ネックサポート・指板ブレイスユニットを形成することが、前記ネックサポート及び前記指板ブレイスを有する一体ボディを形成することを含む、請求項１２に記載の方法。
【請求項１４】
ネックサポート・指板ブレイスユニットを形成することが、前記指板ブレイスを前記ネックサポートに固定して取り付けることを含む、請求項１２に記載の方法。
【請求項１５】
前記指板ブレイスを前記ギターサイドに取り付ける前に、前記指板ブレイスを前記ネックサポートに取り付ける、請求項１４に記載の方法。
【請求項１６】
前記ネックサポートを前記ギターサイドに取り付けることと、
前記指板ブレイスを前記ギターサイド及び前記ネックサポートに同時に取り付けることとを更に含む、請求項１４に記載の方法。
【請求項１７】
前記指板ブレイスを前記ギターサイドに取り付けることが、前記指板ブレイスの２つの端部を前記ギターサイドに取り付けることを含む、請求項１２に記載の方法。
【請求項１８】
前記指板ブレイスを前記ギターサイドに取り付けることが、
前記指板ブレイスの２つの端部を、前記ギターサイドに取り付けられた２つのライナーサポートに取り付けることを含む、請求項１７に記載の方法。
【請求項１９】
指板ブレイスをギターサイドに取り付けることと、
その後ギタートップを前記ギターサイド及び前記指板ブレイスに取り付けてギターボディを形成することとを含む、ギターの製造方法。
【請求項２０】
前記指板ブレイスに接続されたネックサポートを有するネックサポート・指板ブレイスユニットを形成することを更に含む、請求項１９に記載の方法。
【発明の詳細な説明】
【技術分野】
【０００１】
本開示の実施例は、概して、弦楽器の構成及び構造に関する。より具体的には、本開示は、一体のネックサポート及び指板ブレイスを有する弦楽器並びにその弦楽器の製造方法に関する。
【背景技術】
【０００２】
ギターは典型的に、２つの主部品であるネック及びボディを有する。奏者は、弦のピッチを変更するために、ギターの弦を、ネック上にあるフレットに対して押し付ける。
【０００３】
ギターネックをギターのボディに接続する方法は、基本的に１世紀近く変わっていない。図１に示すように、ギター１００は、ボディ１０４に取り付けられたネック１０２を有する。ネック１０２は、ヒール１０６と共に形成される。ヒール１０６は、ボディ１０４のギターサイド１０８の外側面に接着されるかボルトで固定される。ボルトで固定される場合、ネック１０２の長さに対して平行に延在する１つ以上のボルトを使用できる。単にギターサイド１０８の外側面に対して載置する代わりに、ヒール１０６の一部分を、ボディ１０２のほぞ穴内に受容させることができる。このような構成において、両矢印１１０で示される前後方向にネックが移動しないように、ヒールとほぞ穴とを蟻継ぎすることができる。
【０００４】
平坦な下側を有するフレットボード１１２が、ネック１０２の平坦な上面に接着される。フレットボード１１２には典型的に、ネック１０２の遠位端にあるナット１１４までの間に２０のフレットが設けられる。２０番目のフレット１１６が、ボディ１０４の中心に最も近い。ヒール１０６がボディ１０４に接する位置１１８は典型的に、１４番目のフレットである。短いネック１０２を有するギターの場合、ヒール１０６がボディ１０４に接する位置１１８は、１２番目のフレットである。位置１１８と、２０番目のフレット１１６に隣接するフレットボード１１２の近位端との間のフレットボード１１２の領域が、「テール」部１２０である。テール部１２０は、ボディ１０４の前面１２２に接着される。ネック１０２は、テール部１２０の前で終端するため、テール部１２０に支持を与えない。
【０００５】
フレットボード１１２は通常、プラスチックや木材等の堅い材料で作られており、製造時や経時的に曲がったり損傷したりする。図２は、フレットボード１１２及びネック１０３の損傷の一例を概略的に示す。理想的には、フレットボード１１２は、線１２４でしめすように、ナット１１４と２０番目のフレット１１６との間において完全な直線であるべきである。しかしながら、ナット１１４と位置１１８との間には、弦の張力、湿気及び／又は何らかの他の要因のために、曲がった又は凹んだ領域１２６が生じることがよくある。損傷によって、凹んだ領域１２６の中央に高さの低いスポットが生じて、ギターを演奏するのが困難になったり、さらにはギターの調子が外れたりする。フレットボード１１２のテール部１２０は、ネックサポート１３０によって支持されていて屈曲しないため、弦の張力、湿気及び／又は何らかの他の要因のために、フレットボード１１２によって位置１１８の近傍にクリース（しわ）１２８が形成される可能性がある。クリース１２８によって、１７番目や１８番目、１９番目、２０番目のフレット等、テール部１２０にある高いフレットが、より低いフレットで演奏する際に、弦と接触してしまう可能性がある。
【発明の概要】
【発明が解決しようとする課題】
【０００６】
従って、ギターにおいて改良されたネックサポートが必要とされている。
【課題を解決するための手段】
【０００７】
本開示は、概して弦楽器、より具体的にはギターに関する。
【０００８】
一実施例は、ギターを提供する。このギターは、ギターサイド、互いに固定して取り付けられたネックサポート及び指板ブレイスを備え、指板ブレイスがブレイス面及び２つの端部をもつ長尺のボディを有し、指板ブレイスが２つの端部においてギターサイドに取り付けられた、ネックサポート・指板ブレイスユニット、及び、ギターサイドに取り付けられてサウンドボックスを形成するギタートップであって、組み立てられたときに、指板ブレイスのブレイス面が、内側面に取り付けられるギタートップを含むギターボディを含む。このギターは、ネックサポート・指板ブレイスユニットにおいてギターボディに取り付けられたギターネックを更に含む。
【０００９】
他の実施例は、ギターの製造方法を提供する。この方法は、指板ブレイスに接続されたネックサポートを有するネックサポート・指板ブレイスユニットを形成することと、その後ギタートップをそのネックサポート・指板ブレイスユニットに取り付けることとを含む。
【００１０】
他の実施例は、ギターの製造方法を提供する。この方法は、指板ブレイスをギターサイドに取り付けることと、その後ギタートップをギターサイド及び指板ブレイスに取り付けてギターボディを形成することとを含む。
【００１１】
本開示の上述の特徴を詳細に理解できるよう、上に簡潔に要約した本開示のより詳細な説明を、その幾つかを添付の図面において例示した実施例を参照することにより行う。しかしながら、添付の図面が本開示の典型的な実施例のみを例示しており、従ってその範囲を限定するものと解釈すべきではなく、本開示が、等しく有効な他の実施例を許容しうることに注意されたい。
【図面の簡単な説明】
【００１２】
【図１】先行技術のギターの概略分解図である。
【図２】先行技術のギターに生じる損傷を概略的に示す。
【図３Ａ】本開示の一実施例に係るギターの概略分解図である。
【図３Ｂ】ギタートップをギターサイドに取り付ける前の、ギターサイドに取り付けられた指板ブレイスを示す、図３Ａのギターの部分側断面図である。
【図３Ｃ】他の実施例に係るギターサイドに取り付けられた指板ブレイスを示す部分側断面図である。
【図４Ａ】本開示の一実施例に係るネックサポート・指板ブレイスユニットの概略上面図である。
【図４Ｂ】図４Ａのネックサポート・指板ブレイスユニットの概略底面図である。
【図４Ｃ】図４Ａのネックサポート・指板ブレイスユニットの概略側面図である。
【図４Ｄ】図４Ａのネックサポート・指板ブレイスユニットの概略側面図である。
【図４Ｅ】異なる形状の側部を有するネックサポート・指板ブレイスユニットの概略上面図である。
【図４Ｆ】異なる形状の側部を有するネックサポート・指板ブレイスユニットの概略上面図である。
【図４Ｇ】異なる形状の側部を有するネックサポート・指板ブレイスユニットの概略上面図である。
【図４Ｈ】異なる形状の側部を有するネックサポート・指板ブレイスユニットの概略上面図である。
【図５Ａ】本開示の他の実施例に係るネックサポート・指板ブレイスユニットを示す、トップを取り外した状態のギターの部分斜視図である。
【図５Ｂ】図５Ａのネックサポート・指板ブレイスユニットを示す、ボトムを取り外した状態のギターの部分斜視図である。
【図５Ｃ】図５Ａのネックサポート・指板ブレイスユニットの概略上面図である。
【図５Ｄ】図５Ａのネックサポート・指板ブレイスユニットの概略底面図である。
【図５Ｅ】図５Ａのネックサポート・指板ブレイスユニットの概略側面図である。
【図５Ｆ】図５Ａのネックサポート・指板ブレイスユニットの概略側面図である。
【発明を実施するための形態】
【００１３】
本開示の実施例は、ネックサポート・指板ブレイスユニットを有する、ギター等の弦楽器に関する。ネックサポート・指板ブレイスユニットは、一体ユニットとして形成されるか、あるいは、指板ブレイスをギタートップに取り付ける前に、ネックサポートをその指板ブレイスに固定して取り付けることによって形成される。ネックサポートと指板ブレイスとの間の堅い接続によって、ギターサイドに載置された指板ブレイスが、ギターネックに支持を与え、それによってギターネック及びフレットボードの変形を低減できる。 
【００１４】
図３Ａは、本開示の一実施例に係るギター３００の概略分解図である。ギター３００は、ギタートップ部３１０、ギターボディ部３３０及びギターネック部３６０を含む。
【００１５】
ネック部３６０は、フレットボード３６２を支持するネックブランク３６８を含む。ネックブランク３６８は、１片の木材、金属、プラスチック又は他の剛性材料で作ることができる。あるいは、ネックブランク３６８は、２片又は３片の木材を含んでもよい。フレットボード３６２は、滑らかで平坦な面となるようにかんな掛けできる木材、金属、プラスチック又は他の剛性材料で作ることができる。ネック部３６０は、ヒール３６４を含んでもよい。組み立てると、ヒール３６４は、ギターボディ部３３０に合わせられる。ネックブランク３６８には、ペグヘッド３６６が取り付けられてもよい。
【００１６】
ギタートップ部３１０は、表板３２２を含む。表板３２２は、組み立てたときにギターネック部３６０に対向するネック端３１２と、ネック端３１２の反対側を向くヒール部３１８とを有する。表板３２２は、サウンドポート３１６を有する。ネック端３１２には、ギターネック部３６０を受容するように、ネックノッチ３１４が形成されていてもよい。複数のブレイス３２０を、表板３２２の内側面に取り付けることができる。ブレイス３２０は、表板３２２に構造的な支持を与えるように戦略的に位置決めされる。ブレイス３２０は、目標とする音響効果を実現できるように様々な配置構成で配置することができる。ブレイス３２０は、ギタートップ部３１０をギターボディ部３３０に取り付ける前に、表板３２２に取り付けられる。典型的に、サウンドポート３１６とネックノッチ３１４との間の表板３１２には、指板ブレイスが位置付けられる。本開示の実施例によれば、指板ブレイスは、表板３１２に取り付けられる前に、まずネックサポートに取り付けられる。
【００１７】
ギターボディ部３３０は、底板３３２とギターサイド３３４とを含む。底板３３２は、接着剤によってギターサイド３３４に接合できる。複数の下側ライナーサポート３３８をギターサイド３３４の下側縁部に沿って載置して、底板３３２とギターサイド３３４との取り付けを補強してもよい。複数の上側ライナーサポート３３６をギターサイド３３４の上側縁部に配置して、ギタートップ部３１０とギターボディ部３３０との取り付けを補強してもよい。
【００１８】
ネックサポート・指板ブレイスユニット３４０が、ギターボディ部３３０の内部に配置される。ネックサポート・指板ブレイスユニット３４０は、指板ブレイス３４２とネックサポート３４４とを含む。指板ブレイス３４２は、ネックサポート３４４に固定して取り付けられるか、あるいはネックサポート３４４と一体に形成される。指板ブレイス３４２は、ギターボディ部３３０に亘って延在し、上側ライナーサポート３３６のような支持構造をギターサイド３３４上に載置する。ネックサポート３４４及び指板ブレイス３４２を固定して接続することによって、組み立てたときに、ギターサイド３３４が、ネックサポート３４４に取り付けられたネック部３６０に構造的な支持を与えることができる。
【００１９】
図３Ｂは、ギターサイド３３４に取り付けられた指板ブレイス３４２を示す、ギター３００の部分側断面図である。指板ブレイス３４２の端部は、上側ライナーサポート３３６の上面に載置される。一実施例において、指板ブレイス３４２の端部と上側ライナーサポート３３６の上面とは、接着剤により互いに接合される。上側ライナーサポート３３６の側面は、ギターサイド３３４に接着される。この結果、上側ライナーサポート３３６は、指板ブレイス３４２に上方の支持を与える。ギタートップ部３１０は、指板ブレイス３４２がギターサイド３３４に取り付けられた後に、指板ブレイス３４２に取り付けられる。
【００２０】
図３Ｃは、他の実施例に係るギターサイド３３４に取り付けられた指板ブレイス３４２を示す、ギター３００の部分側断面図である。サポートフィンガー３５０が、上側ライナーサポート３３６と置き換えられて、指板ブレイス３４２に追加の支持を与えることができる。サポートフィンガー３５０は、ギターサイド３３４に取り付けられる長尺の木片とすることができる。指板ブレイス３４２の端部は、サポートフィンガー３５０の上面に載置される。一実施例において、サポートフィンガー３５０の上面と指板ブレイス３４２の端部とは、接着剤により互いに接合される。サポートフィンガー３５０は、ギターボトム３３２又は下側ライナーサポート３３８まで、ギターサイド３３４の高さに沿って延在する。
【００２１】
ギター３００を組み立てるために、ネックサポート・指板ブレイスユニット３４０をまず形成し、ギターサイド３３４に取り付けることができる。一実施例において、ネックサポート・指板ブレイスユニット３４０は、１片の木材から製造される。そして、一体のネックサポート・指板ブレイスユニット３４０を、ギターボトム３３２をギターサイド３３４に取り付ける前又は取り付けた後に、ギターサイド３３４に取り付ける。
【００２２】
他の実施例において、ネックサポート・指板ブレイスユニット３４０は、２片以上の木材から形成してもよい。例えば、ネックサポート３４４をより密度が高く堅い木材で形成する一方で、指板ブレイス３４２をより密度が低く柔らかい木材で形成してもよい。そして、ネックサポート３４４及び指板ブレイス３４２を、例えば接着剤又は締結具により、互いに固定接合する。一実施例において、まず指板ブレイス３４２をネックサポート３４４に取り付けてネックサポート・指板ブレイスユニット３４０を形成してから、その形成されたユニットをギターボディ部３３０に取り付けてもよい。他の実施例において、まずネックサポート３４４をギターボディ部３３０に取り付けてから、指板ブレイス３４２をネックサポート３４４に取り付けてもよい。
【００２３】
ネックサポート・指板ブレイスユニット３４０をギターボディ部３３０に取り付けた後、接着剤をネックサポート・指板ブレイスユニット３４０及び上側ライナーサポート３３６の上面に塗布して、ギタートップ部３１０及びギターボディ部３３０を接合する。
【００２４】
ネック部３６０は、ギタートップ部３１０をギターボディ部３３０に取り付ける前又は取り付けた後に、ギターボディ部３３０に取り付けることができる。ネック部３６０は、締結具、接着剤又はそれらの組み合わせにより、ギターボディ部３１０に取り付けることができる。図３Ａに示すように、ネック部３６０が、複数のボルトによりギターボディ部３３０に取り付けられる。図３Ａには、４つのボルト孔が示されている。２つのボルト孔３５２が、ヒール３６４との接続のために、ギターサイド３４４側へネックサポート３４４を貫通して形成されている。２つのボルト孔３５４が、ネックブランク３６８との接続のために、ギタートップ部３１０側へネックサポート３４４を貫通して形成されている。一実施例において、任意のスペーサ３４６，３４８をギターネック部３６０とギターボディ部３３０との間に使用して、所望の配向を確保するようにしてもよい。
【００２５】
図４Ａ〜４Ｄは、本開示の一実施例に係るネックサポート・指板ブレイスユニット３４０を示す。図４Ａは、ネックサポート・指板ブレイスユニット３４０の概略上面図である。図４Ｂは、ネックサポート・指板ブレイスユニット３４０の概略底面図である。図４Ｃは、ネックサポート・指板ブレイスユニット３４０の概略側面図である。図４Ｄは、ネックサポート・指板ブレイスユニット３４０の別の概略側面図である。
【００２６】
ネックサポート・指板ブレイスユニット３４０は、上側部４０３と下側部４０６とを含む。指板ブレイス３４２は、上部４０３の前面４２０に取り付けられるか、あるいはそこから延在する。指板ブレイス３４２の端部４１８は、ギターサイドに取り付けられるように構成されている。上部４０３及び指板ブレイス３４２は、略平坦な上面４０２を形成している。上面４０２は、ギタートップに取り付けることができる。
【００２７】
上側部４０３は、中央軸線４０１に対して角度４２２を有して形成される傾斜側部４１０を有する平坦な板とすることができる。一実施例において、上側部４０３は、台形状を有することができる。これは、ギタートップが典型的に、中央軸線４０１に対して平行な方向４２４に木目を有する薄い木製パネルで作られるためである。傾斜側部４１０が、ギタートップの木目と交差していることによって、ギタートップが木目に沿って割れるのを防止する。一実施例において、角度４２２は、約１０度〜約４５度である。
【００２８】
代えて、上側部４０３の側部４１０は、上部４０３の縁部を木目と交差させることができる任意の形状とすることができる。図４Ｅ〜４Ｈは、他の形状の側部の幾つかの例を概略的に示す。例えば、この側部は、図４Ｅに示すように木目方向４２４と交差する湾曲線４１０ａや、図４Ｆに示すように木目方向４２４と交差する逆に傾けた直線４１０ｂ、図４Ｇに示すように木目方向４２４と交差する異なる角度を組み合わせた線４１０ｃ、図４Ｈに示すように木目方向４２４と交差する波線４１０ｄとしてもよい。また、２つの側部４１０は、異なる形状を有してもよい。
【００２９】
下側部４０６は、上部４０３の下側面４０４から延在する。下側部４０６の底面４１６は、組み立てたときに、ギターボトムと接触するように構成されている。底面４１６は、上面４０２よりも面積が小さい。底部４０６は、ネック部のヒールに接続されるように構成されたヒール面４１２を有する。
【００３０】
１つ以上のボルト孔３５４が、ネック部の背面側との接続のために、上部４０３を貫通して形成されている。１つ以上のボルト孔３５２が、ネック部のヒールとの接続のために、下側部４０６を貫通して形成されている。
【００３１】
指板ブレイス３４２、上側部４０３及び下側部４０６は、１片の木材から作ることができる。あるいは、指板ブレイス３４２、上側部４０３及び下側部４０６は、２片以上の木材から作り、互いに接合してユニットを形成するようにしてもよい。
【００３２】
図５Ａ〜５Ｆは、本開示の他の実施例に係るネックサポート・指板ブレイスユニット５４０を概略的に示す。図５Ａは、ネックサポート・指板ブレイスユニット５４０を示す、トップを取り外した状態のギター５００の部分斜視図である。図５Ｂは、ネックサポート・指板ブレイスユニット５４０を示す、ボトムを取り外した状態のギター５００の部分斜視図である。ギター５００は、カットアウトボディスタイルのギターである。ネックサポート・指板ブレイスユニット５４０は、カッタウェイボディスタイルに適合した湾曲側部を有することを除いて、ネックサポート・指板ブレイスユニット３４０と同様である。
【００３３】
図５Ｃは、ネックサポート・指板ブレイスユニット５４０の概略上面図である。図５Ｄは、ネックサポート・指板ブレイスユニット５４０の概略底面図である。図５Ｅは、ネックサポート・指板ブレイスユニット５４０の概略側面図である。図５Ｆは、ネックサポート・指板ブレイスユニット５４０の別の概略側面図である。
【００３４】
ネックサポート・指板ブレイスユニット５４０は、上側部５０３、下側部５０６及び指板ブレイス５４２を含む。指板ブレイス５４２は、上側部５０３の前面５１８に取り付けられるか、あるいはそこから延在する。指板ブレイス５４２の端部５１８は、ギターサイドに取り付けられるように構成されている。上側部５０３及び指板ブレイス５４２は、略平坦な上面５０２を形成している。上面５０２は、ギタートップに取り付けることができる。
【００３５】
上側部５０３は、１つの傾斜側部５１０と１つの湾曲側部５１２とを有する平坦な板とすることができる。傾斜側部５１０は、ギタートップの木目と交差することによって、ギタートップが木目に沿って割れるのを防止するようにしてもよい。側部４１０と同様に、側部５１０は、ギタートップの木目方向と交差する任意の形状とできる。湾曲側部５１２は、カッタウェイを形成するように成形される。
【００３６】
下側部５０６は、上側部５０３の下側面５０４から延在する。下側部５０６の底面５１６は、組み立てたときに、ギターボトムと接触するように構成されている。底部５０６は、ギターボディのカッタウェイに追加の支持を与える湾曲側部５１４を有してもよい。  
【００３７】
指板ブレイス５４２、上側部５０３及び下側部５０６は、１片の木材から作ることができる。あるいは、指板ブレイス５４２、上側部５０３及び下側部５０６は、２片以上の木材から作り、互いに接合してユニットを形成するようにしてもよい。
【００３８】
本開示の実施例によれば、指板ブレイスは、ネックサポートと一体に形成されるか、あるいはネックサポートに固定して取り付けられる。指板ブレイスは、まずギターサイドに取り付けられ、それからギター前部に取り付けられる。指板ブレイスの端部がギターサイドに取り付けられることで、ギターサイドは、指板ブレイスを介してギターネックに構造的な支持を与える。この結果、ギターネックは、弦の張力、湿気及び／又は幾つかの他の要因のために曲がったりクリースを形成したりする傾向が低下する。
【００３９】
本開示の実施例は、ギターボディとギターネックとを含むギターを提供する。ギターボディは、ギターサイド、互いに対して固定して取り付けられたネックサポート及び指板ブレイスを含み、指板ブレイスがブレイス面及び２つの端部をもつ長尺のボディを有し、指板ブレイスが２つの端部においてギターサイドに取り付けられる、ネックサポート・指板ブレイスユニット、及び、ギターサイドに取り付けられてサウンドボックスを形成するギタートップであって、組み立てられたときに、指板ブレイスのブレイス面が、内側面に取り付けられるギタートップを含む。ギターネックが、ネックサポート・指板ブレイスユニットにおいてギターボディに取り付けられる。
【００４０】
１つ以上の実施例において、ネックサポート及び指板ブレイスは、一体ボディとして形成される。
【００４１】
１つ以上の実施例において、指板ブレイスの側面は、指板ブレイスの前面に取り付けられる。
【００４２】
１つ以上の実施例において、指板ブレイスは、ネックサポートに接着される。
【００４３】
１つ以上の実施例において、ネックサポートは、上面、前面及び２つの側部を有する上部であって、指板ブレイスが前面から延在し、組み立てられたときにギタートップが前面に取り付けられる、上部と、ギターバックに取り付けるための底面を有する底部とを含む。
【００４４】
１つ以上の実施例において、上部の各側部は、ギターボディの縦軸線に対して斜めに形成される。
【００４５】
１つ以上の実施例において、ギタートップは、ネックノッチを有し、組み立てられたときに、ギターネックが、そのネックノッチにより露出するネックサポートの上面の部分において、ネックサポートに取り付けられている。
【００４６】
１つ以上の実施例において、このギターは、ギターネックとネックサポートの上面との間に配置されたトップスペーサを更に含む。
【００４７】
１つ以上の実施例において、ネックサポートは、ヒール面を有し、ギターネックのヒールが、そのヒール面に取り付けられている。
【００４８】
１つ以上の実施例において、このギターは、ギターネックのヒールとヒール面との間に配置されたヒールスペーサを更に含む。
【００４９】
他の実施例は、指板ブレイスに接続されたネックサポートを有するネックサポート・指板ブレイスユニットを形成することと、その後ギタートップをそのネックサポート・指板ブレイスユニットに取り付けることとを含む、ギターの製造方法を提供する。
【００５０】
１つ以上の実施例において、この方法は、ネックサポート・指板ブレイスユニットのギタートップを取り付ける前に、指板ブレイスユニットをギターサイドに取り付けることを更に含む。
【００５１】
１つ以上の実施例において、ネックサポート・指板ブレイスユニットを形成することは、ネックサポート及び指板ブレイスを有する一体ボディを形成することを含む。
【００５２】
１つ以上の実施例において、ネックサポート・指板ブレイスユニットを形成することは、指板ブレイスをネックサポートに固定して取り付けることを含む。
【００５３】
１つ以上の実施例において、この方法は、指板ブレイスをギターサイドに取り付ける前に、その指板ブレイスをネックサポートに取り付けることを含む。
【００５４】
１つ以上の実施例において、この方法は、ネックサポートをギターサイドに取り付けることと、指板ブレイスをギターサイド及びネックサポートに同時に取り付けることとを更に含む。
【００５５】
１つ以上の実施例において、指板ブレイスをギターサイドに取り付けることは、指板ブレイスの２つの端部をギターサイドに取り付けることを含む。
【００５６】
１つ以上の実施例において、指板ブレイスをギターサイドに取り付けることは、指板ブレイスの２つの端部を、ギターサイドに取り付けられた２つのライナーサポートに取り付けることを含む。
【００５７】
本開示の他の実施例は、指板ブレイスをギターサイドに取り付けることと、その後ギタートップをギターサイド及び指板ブレイスに取り付けてギターボディを形成することとを含む、ギターの製造方法を提供する。
【００５８】
１つ以上の実施例において、この方法は、指板ブレイスに接続されたネックサポートを有するネックサポート・指板ブレイスユニットを形成することを更に含む。
【００５９】
以上の説明は、本開示の実施例を対象とするものであるが、本開示の他の実施例及び更なる実施例は、その範囲及び添付の特許請求の範囲により規定される範囲から逸脱することなく想到できよう。
【図１】
2019003195.tif 000003
【図２】
2019003195.tif 000004
【図３Ａ】
2019003195.tif 000005
【図３Ｂ】
2019003195.tif 000006
【図３Ｃ】
2019003195.tif 000007
【図４Ａ】
2019003195.tif 000008
【図４Ｂ】
2019003195.tif 000009
【図４Ｃ】
2019003195.tif 000010
【図４Ｄ】
2019003195.tif 000011
【図４Ｅ】
2019003195.tif 000012
【図４Ｆ】
2019003195.tif 000013
【図４Ｇ】
2019003195.tif 000014
【図４Ｈ】
2019003195.tif 000015
【図５Ａ】
2019003195.tif 000016
【図５Ｂ】
2019003195.tif 000017
【図５Ｃ】
2019003195.tif 000018
【図５Ｄ】
2019003195.tif 000019
【図５Ｅ】
2019003195.tif 000020
【図５Ｆ】
2019003195.tif 000021
【外国語明細書】
2019003195000001.pdf